(57)【要約】      （修正有）【課題】ゴルフボール、ゴルフティー、マーカーを同時に携行する事ができ、保管する時もスペースをとらないように、折畳んで収納できるゴルフ用品の携行用具を提供する。【解決手段】クリップ５０が形成された本体１０上部にＷ字形状の外側ホルダー２０が長手方向に形成され、外側ホルダー中央にＵ字形状の第１内側ホルダー３０及び第２内側ホルダー４０が回転出来るように結合したゴルフ用品において、第２ホルダーは片側長部にＣ字形状のティーホルダー４１が形成される。また、外側ホルダーと第１内側ホルダー及び第２ホルダーが十字形に広がった状態でゴルフボールが安定し、第１内側ホルダーに形成されたティーホルダー３１で第２内側ホルダーに形成されたティーホルダーにかけてロングティーが差し込めるように構成され、第１内側ホルダーに形成された別のティーホルダーにショートティーが差し込めるように構成される。【選択図】図１
2010094469.tif 000002
【特許請求の範囲】
【請求項１】
クリップ５０が形成された本体１０上部にＷ字形状の外側ホルダー２０が長手方向に連続形成され、外側ホルダー２０中央にＵ字形状の第１内側ホルダー３０及び第２内側ホルダー４０が回転出来るように結合したゴルフ用品において、第２ホルダー４０は片側長部にＣ字形状のティーホルダー４１が形成される。また、外側ホルダー２０と第１内側ホルダー３０及び第２ホルダー４０が十字形に広がった状態でゴルフボールが安定し、第１内側ホルダー３０に形成されたティーホルダー３１で第２内側ホルダー４０に形成されたティーホルダー４１にかけてロングティーが差し込めるように構成され、第１内側ホルダー３０に形成された別のティーホルダー３１にショートティーが差し込めるように構成されることを特徴とする請求項１記載のゴルフ用品の携帯用具。
【請求項２】
前記の外側ホルダー２０には、丸型のマーカー固定ホーム６０が両面に形成され、マーカー固定ホーム６０は磁石が内蔵されておりマーカー固定ホーム６０にマーカーが挿入されて、磁石によって固定されるように構成されたものを特徴とする請求項１記載のゴルフ用品の携帯用具
【請求項３】
前記の外側ホルダー２０には、丸型のマーカー固定ホーム６０´が両面に形成され、マーカー固定ホーム６０´の中央に挿入ホーム６１´が形成される。挿入ホーム６１´はマーカーが差し込めるように構成されることを特徴とするゴルフ用品の携帯用具。
【発明の詳細な説明】
【技術分野】
【０００１】  この発明は、ゴルフ用品を便利に収納し携帯が出来る形状に関する。
【背景技術】
【０００２】  従来ゴルフをする為に必要な用品は、ゴルフクラブ以外にゴルフボール、ゴルフボールを上げて打つ事が出来るゴルフティー、ゴルフボールがグリーン上にある時、そのゴルフボールを表示する事が出来るマーカーのような小さい用品が多く必要である。このようなゴルフボール、ゴルフティー、マーカーなどは競技を迅速に進行する為に、ゴルファーが直接ポケットに入れて携帯する事が多いが、小さいものを紛失する心配もあり、携帯用品の大きさによって、ポケットが厚くなり競技をするのに支障をきたす問題点があった。
上記の問題を解決する為、ゴルフボールとゴルフティーの携帯用クリップは存在したが、マーカーを別に携帯しなければならない不便さがあった。
【発明の開示】
【発明が解決しようとする課題】
【０００３】  そこで、この発明は、ゴルフボール、ゴルフティー、マーカーを同時に携帯することが出来、脱着が便利で、競技が終了した後も携帯用具だけを別に保管するときもスペースを取らないように、折り畳んで収納出来るゴルフ用品の携帯用具を提供することを課題とする。
【課題を解決するための手段】
【０００４】  以上の課題を解決するために、第一発明は、クリップ５０が形成された本体１０上部にＷ字形状の外側ホルダー２０が長手方向に連続形成され、外側ホルダー２０中央にＵ字形状の第１内側ホルダー３０及び第２内側ホルダー４０が回転出来るように結合したゴルフ用品において、第２ホルダー４０は片側長部にＣ字形状のティーホルダー４１が形成される。また、外側ホルダー２０と第１内側ホルダー３０及び第２ホルダー４０が十字形に広がった状態でゴルフボールが安定し、第１内側ホルダー３０に形成されたティーホルダー３１で第２内側ホルダー４０に形成されたティーホルダー４１にかけてロングティーが差し込めるように構成され、第１内側ホルダー３０に形成された別のティーホルダー３１にショートティーが差し込めるように構成されることを特徴とするゴルフ用品の携帯用具である。
また、第二発明は、外側ホルダー２０に、丸型のマーカー固定ホーム６０が両面に形成され、マーカー固定ホーム６０は磁石が内蔵されておりマーカー固定ホーム６０にマーカーが挿入されて、磁石によって固定されるように構成されたものを特徴とするゴルフ用品の携帯用具である。
また、第三発明は、外側ホルダー２０に、丸型のマーカー固定ホーム６０´が両面に形成され、マーカー固定ホーム６０´の中央に挿入ホーム６１´が形成される。挿入ホーム６１´はマーカーが差し込めるように構成されることを特徴とするゴルフ用品の携帯用具である。
【発明の効果】
【０００５】  第一発明、第二発明、第三発明によれば、ゴルフボールが安定するようにする外側ホルダーと内側ホルダー、ロングティーとショートティーを差し込めるようにするティーホルダー、マーカーを固定するマーカー固定ホームが一体に本体のクリップに形成せれ、ゴルフボール、ゴルフティー、マーカーを同時にゴルファーのベルトやキャディーバッグ、ボストンバッグなどに装着して便利に携帯出来るものである。使用の際、脱着が容易でゴルファーの競技力を向上することが出来、保管の際にも折り畳んで大きなスペースを取らないようにするなどの有効な活用が出来る。
【発明を実施するための最良の形態】
【０００６】  この発明の一実施形態を、図１に示す。
ゴルフ用品の携帯用具の本体はプラスチック材で形成されており、クリップ５０が形成された本体１０上部にＷ字形状の外側ホルダー２０が長手方向に連続形成され、外側ホルダー２０中央にＵ字形状の第１内側ホルダー３０及び第２内側ホルダー４０が回転出来るように結合したゴルフ用品において、第２ホルダー４０は片側長部にＣ字形状のティーホルダー４１が形成される。また、外側ホルダー２０と第１内側ホルダー３０及び第２ホルダー４０が十字形に広がった状態でゴルフボールが安定し、第１内側ホルダー３０に形成されたティーホルダー３１で第２内側ホルダー４０に形成されたティーホルダー４１にかけてロングティーが差し込めるように構成され、第１内側ホルダー３０に形成された別のティーホルダー３１にショートティーが差し込めるように構成される。
外側ホルダー２０には、丸型のマーカー固定ホーム６０が両面に形成され、マーカー固定ホーム６０は磁石が内蔵されておりマーカー固定ホーム６０にマーカーが挿入されて、磁石によって固定されるように構成されている。また、外側ホルダー２０には、丸型のマーカー固定ホーム６０´が両面に形成され、マーカー固定ホーム６０´の中央に挿入ホーム６１´が形成される。挿入ホーム６１´はマーカーが差し込めるように構成されている。【０００７】「実施形態の効果」
この実施形態によれば、ゴルフボールが安定するようにする外側ホルダーと内側ホルダー、ロングティーとショートティーを差し込めるようにするティーホルダー、マーカーを固定するマーカー固定ホームが一体に本体のクリップに形成せれ、ゴルフボール、ゴルフティー、マーカーを同時にゴルファーのベルトやキャディーバッグ、ボストンバッグなどに装着して便利に携帯出来るものである。使用の際、脱着が容易でゴルファーの競技力を向上することが出来、保管の際にも折り畳んで大きなスペースを取らないようにするなどの有効な活用が出来る。
【図面の簡単な説明】
【０００８】
【図１】この発明の一実施形態を示す斜視図である。
【図２】この発明の一実施形態を示す斜視図である。
【図３】この発明の一実施形態を示す正面図である。
【図４】この発明の一実施形態を示す斜視図である。
【図５】この発明に従った使用状態を示す斜視図である。
【符号の説明】
【０００９】１０  本体    ２０  外側ホルダー    ３０  第１内側ホルダー
３１  ティーホルダー    ４０  第２内側ホルダー
４１  ティーホルダー    ５０  クリップ
６０  マーカー固定ホーム    ６０´  マーカー固定部
６１´挿入ホーム
Ｂ  ゴルフボール    ＬＴ  ロングティー    ＳＴ  ショートティー
Ｍ  マーカー
【図１】
2010094469.tif 000003
【図２】
2010094469.tif 000004
【図３】
2010094469.tif 000005
【図４】
2010094469.tif 000006
【図５】
2010094469.tif 000007